(57)【要約】【課題】塵埃のみならず動物の毛が詰まったり絡まったりすることによる車輪の回転阻害を防止する。【解決手段】  車輪４が枠体２に回転可能に支持された戸車１において、枠体２の内側に車輪４を囲むように遮蔽部材６を取り付ける。遮蔽部材６は、基布６ａにパイル６ｂを植毛したものである。遮蔽部材としてフェルトを使用してもよい。この構成により、遮蔽部材６が動物の毛等の枠体２内への侵入を防止するので、動物の毛等による車輪４の回転阻害を防止することができる。【選択図】図１
2008014022.tif 000002
【特許請求の範囲】
【請求項１】
車輪が枠体に回転可能に支持された戸車において、前記枠体の内側に前記車輪を囲むように遮蔽部材を取り付けたことを特徴とする戸車。
【請求項２】
前記遮蔽部材が、パイルを有する基布またはフェルトであることを特徴とする請求項１記載の戸車。
【発明の詳細な説明】
【技術分野】
【０００１】
本発明は、引き戸等に使用される戸車に関する。
【背景技術】
【０００２】
戸車としては、レールを使用するものと使用しないものとがある。また、車輪の形状が丸型、平型、Ｖ型、Ｕ型などがあり、レールを使用する場合には、車輪の形状に適合した溝を有するものが使用される。家庭内の引き戸に使用される戸車の場合、部屋の塵や埃が車輪と軸との間に詰まって車輪の回転を阻害し、引き戸がうまく滑らないことがある。レールを使用する場合は、レールの溝の中に塵や埃が詰まって、車輪の回転を阻害することがある。従来では、このようなレールのごみを清掃する機構を備えた戸車が提案されている（例えば、特許文献１参照）。
【特許文献１】特開平１０−３３１５１２号公報
【発明の開示】
【発明が解決しようとする課題】
【０００３】
しかしながら、家庭内の引き戸に使用される戸車の場合、部屋の塵や埃の他に、人や犬猫等の動物の毛が車輪と軸との間に挟まったり絡まったりして、車輪の回転を阻害し、引き戸を円滑に移動させることができないことがあった。近年では、犬や猫をペットとして部屋の中で飼う人が多くなり、それらの毛が戸車に挟まれると容易に除去することができず、戸車の寿命が尽きる前に戸車を交換する必要があった。
【０００４】
本発明は、このような従来の問題を解決するものであり、塵埃のみならず動物の毛による車輪の回転阻害を防止することのできる戸車を提供することを目的とする。
【課題を解決するための手段】
【０００５】
本発明は、上記目的を達成するために、車輪が枠体に回転可能に支持された戸車において、前記枠体の内側に前記車輪を囲むように遮蔽部材を取り付けたことを特徴とする。この構成により、遮蔽部材が動物の毛等の枠体内への侵入を防止するので、動物の毛等による車輪の回転阻害を防止することができる。
【０００６】
また、本発明の戸車は、遮蔽部材がパイルを有する基布またはフェルトであることを特徴とする。この構成により、塵埃や毛等が枠体の中に侵入するのを効果的に防止することができる。
【発明の効果】
【０００７】
本発明は、戸車の車輪を囲むように遮蔽部材を枠体内に取り付けたので、遮蔽部材により動物の毛等が枠体内に侵入するのを防止することができ、動物の毛等による車輪の回転阻害を防止することができる。
【発明を実施するための最良の形態】
【０００８】
（実施の形態１）
以下、本発明の第１の実施の形態における戸車を図１を用いて説明する。図１（ａ）は正面断面図であり、図１（ｂ）は側面断面図である。戸車１は、フランジ２ａ、２ｂを有する上下を開放された箱型の枠体２と、枠体２に下部が突出するように軸３により回転可能に取り付けられた車輪４を有する。車輪４は樹脂製で、金属製のブシュまたはベアリングを介して金属製の軸３に回転可能に取り付けられ、軸３は枠体２に加締め等により固定される。枠体２のフランジ２ａ、２ｂには、引き戸等に取り付けるための取り付け穴５が設けられている。
【０００９】
枠体２の下部内周の４面には、遮蔽部材６が接着剤により固定されている。この遮蔽部材６は、基布６ａにパイル６ｂを植毛したものである。これは、基布６ａの上に接着剤を塗布し、その上に短繊維を静電的に垂直に植え付けたたものである。本実施の形態では、パイル６ｂを植毛した基布６ａを細く裁断して、枠体２の４面にそれぞれ接着している。したがって、パイル６ｂは横方向に延びており、その先端部は車輪４に接触して重なっている。パイル６ｂは、なるべく高密度に植毛することが好ましい。なお、植毛の他に起毛によるパイルを設けてもよい。
【００１０】
このように、本発明の実施の形態１によれば、戸車１の枠体２の内側に、車輪４を囲んで接触するように、基布６ａにパイル６ｂを植毛した遮蔽部材６を取り付けたことにより、遮蔽部材６が動物の毛等の枠体２内への侵入を防止するので、動物の毛等による車輪４の回転阻害を防止することができ、戸車１をその寿命が来るまで長く使用することができる。
【００１１】
（実施の形態２）
次に、本発明の第２の実施の形態について図２を参照して説明する。図２（ａ）は正面断面図であり、図２（ｂ）は側面断面図である。戸車１は、図１と同様に、枠体２に軸３を介して回転可能に取り付けられた車輪とを有する。本実施の形態２における遮蔽部材７は、樹脂製の支持体７ａにフェルト７ｂを接着剤により接合したものである。支持体７ａは、枠体２の短辺側にのみ設けられており、フェルト７ｂが車輪４にほぼ均等に接触するように断面３角形に形成されている。短辺側の支持体７ａは枠体２の内面に接着され、長辺側のフェルト７ｂは、直接枠体２の内面に接着されている。フェルト７ｂを直接枠体２に接着することにより、支持体７ａは必ずしも必要なものではないが、支持体７ａを設けることによりフェルト７ｂの支持が安定し、強固になる利点がある。
【００１２】
このように、本発明の実施の形態２によれば、戸車１の枠体２の内側に、車輪４を囲んで接触するように、フェルト７ｂを有する遮蔽部材７を取り付けたこといより、遮蔽部材７が動物の毛等の枠体２内への侵入を防止するので、動物の毛等による車輪４の回転阻害を防止することができ、戸車１をその寿命が来るまで長く使用することができる。
【００１３】
（実施の形態３）
次に、本発明の第３の実施の形態について図３を参照して説明する。この戸車は、引き戸に取り付けた後に車輪の上下、左右の調整が可能な調整戸車である。調整戸車１１は、底面を開放した箱体である枠体１２の中にブラケット１３の軸穴１４に軸１５を介して回転可能に支持された車輪１６を備えている。ブラケット１３の一端は、支軸１７により枠体１２に対し上下および左右に移動可能に支持されており、枠体１２内に設けられた機構を介して、上下調整ねじ１８および左右調整ねじ１９を回すことにより、車輪１６の位置が上下、左右に調整される。
【００１４】
遮蔽部材２０は、樹脂製の支持枠２１ａの下面にパイル２２ｂを植毛した基布２２ａを接着したものである。本実施の形態では、パイル２２ｂを植毛した基布２２ａを細く裁断して、矩形の支持枠２１ａの４辺の下面にそれぞれ接着している。したがって、パイル２２ｂは下方向に延びており、その先端部は、この戸車１１を取り付けた引き戸が移動するレールまたは敷居の溝に接触している。パイル２２ｂは、なるべく高密度に植毛することが好ましい。なお、植毛の他に起毛によるパイルを設けてもよい。支持枠２１ａの両側の長辺には、一対のブラケット２１ｂが一体に形成されており、ブラケット２１ｂには軸穴２３が設けられている。遮蔽部材２０は、ブラケット２１ｂを枠体１２内のブラケット１３の外側に当接し、互いの軸穴２３、１４を車輪１６の軸穴を合わせて軸１５を貫通させた後、軸１５の一端を加締めることにより組み立てられる。このとき、遮蔽部材２０も軸１５に対し回動可能に支持されており、調整戸車１１が引き戸に取り付けられた時には、レールまたは敷居の溝にならって、パイル２２ｂが常にレールまたは敷居の溝に接触するようになっている。
【００１５】
このように、本発明の実施の形態３によれば、調整戸車１１の枠体１２の下部内側に、車輪１６を囲むように、パイル２２ｂを有する遮蔽部材２０を取り付けたことにより、遮蔽部材２０が動物の毛等の箱体１２内への侵入を防止するので、動物の毛等による車輪１６の回転阻害を防止することができ、戸車１をその寿命が来るまで長く使用することができる。
【００１６】
なお、本実施の形態３における遮蔽部材２０として、実施の形態１または実施の形態２で説明したような遮蔽部材を用いてもよい。逆に、本実施の形態３における遮蔽部材２０を実施の形態１における遮蔽部材として用いてもよい。
【産業上の利用可能性】
【００１７】
以上のように、本発明に係る戸車は、枠体の内側に車輪を囲むように遮蔽部材を設けたので、遮蔽部材により動物の毛等が枠体内に侵入するのを防止することができ、戸車のみならずキャスター等への用途にも適用することができる。
【図面の簡単な説明】
【００１８】
【図１】本発明の第１の実施の形態における戸車の断面正面図（ａ）と断面側面図（ｂ）である。
【図２】本発明の第２の実施の形態における戸車の断面正面図（ａ）と断面側面図（ｂ）である。
【図３】本発明の第３の実施の形態における戸車の分解斜視図
【符号の説明】
【００１９】
１  戸車
２  枠体
３  軸
４  車輪
５  取り付け穴
６  遮蔽部材
６ａ  基布
６ｂ  パイル
７  遮蔽部材
７ａ  支持体
７ｂ  パイル
１１  調整戸車
１２  枠体
１３  ブラケット
１４  軸穴
１５  軸
１６  車輪
１７  支軸
１８  上下調整ねじ
１９  左右調整ねじ
２０  遮蔽部材
２１ａ  支持枠
２１ｂ  ブラケット
２２ａ  基布
２２ｂ  パイル
２３  軸穴
【図１】
2008014022.tif 000003
【図２】
2008014022.tif 000004
【図３】
2008014022.tif 000005